(57)【要約】      （修正有）【課題】害獣侵入防止柵の改良であって、人間に安全で、農作地を食害する害獣、特に猿、イノシシ、鹿に対して侵入防止の効果が大きい害獣侵入防止用の単位柵を提供する。【解決手段】パネル体２と格子体３と回転体４を備えた単位柵１を列設して害獣侵入防止柵を構築する。パネル体２は門形枠の内側に網を張設してあり、格子体３は鉄線を縦横に組み、垂直面部と水平面部を有し、回転体４はボス部材１１を有する筒形であり、パネル体２の上部枠材に固定したステー間に軸により横架されている。パネル体の農作地外側面に格子体を、垂直面部をパネル体の網面に沿わせ、水平面部を農作地外側に向け、かつ、地中となる位置に配置する。【選択図】図１
0003214255.tif 000002
【実用新案登録請求の範囲】
【請求項１】
パネル体と格子体と回転体を備え、
パネル体は上部枠材と左右の枠材からなる門形枠の内側に侵入防止用の網を張設してあり、
格子体は鉄線を侵入防止可能な範囲の間隔で縦横に組んで平面状に一体化してあり、垂直面部と水平面部を有し、
回転体は間隔を置いて配置したボス部材を有する筒形であり、パネル体の上部枠材に間隔を取って固定したステー間に横架した軸によって回転自由に取り付けられ、
パネル体の農作地外側面に格子体を、垂直面部をパネル体の網面に沿わせ、水平面部を農作地外側に向け、かつ、地中となる位置に配置してある、
ことを特徴とした害獣侵入防止用の単位柵。
【請求項２】
回転体は、前記軸に対して偏心した位置に戻し錘を有することを特徴とした請求項１に記載の害獣侵入防止用の単位柵。
【請求項３】
回転体のボス部材間に有棘鉄線が張設されていることを特徴とした請求項１に記載の害獣侵入防止用の単位柵。
【請求項４】
パネル体の上部枠材から農作地側へ水平に張り出す返し棚を有することを特徴とした請求項１に記載の害獣侵入防止用の単位柵。
【請求項５】
回転体はボス部材又は軸に設けたベアリングを介してパネル体に対して回転自在とされていることを特徴とした請求項１に記載の害獣侵入防止用の単位柵。
【請求項６】
回転体は前記軸の方向に複数が配置され、前記軸に対して個々に回転可能とされていることを特徴とした請求項１に記載の害獣侵入防止用の単位柵。
【請求項７】
隣接した回転体間に回転によって音響を発生する手段を設けてあることを特徴とした請求項６に記載の害獣侵入防止用の単位柵。
【請求項８】
回転体は両端をボス部材で塞ぎ周面に複数のスリットを設けた円筒を有し、両端のボス部材で前記軸に支持されていることを特徴とした請求項１に記載の害獣侵入防止用の単位柵。
【請求項９】
円筒の内部に害獣の嫌がる音、匂い、光を発する機器を内蔵していることを特徴とした請求項８に記載の害獣侵入防止用の単位柵。
【請求項１０】
回転体のボス部材と回転体を支持するステー間に回転によって音響を発生する手段を設けてあることを特徴とした請求項８に記載の害獣侵入防止用の単位柵。
【請求項１１】
請求項１〜１０の何れか一つに記載の害獣侵入防止用の単位柵をパネル体における網面の方向に列設した害獣侵入防止柵。
【請求項１２】
パネル体と格子体と回転体を備え、
パネル体は上部枠材と複数本の縦枠材及び網とからなり、
縦枠材は、間隔を置いて配置され、
上部枠材と縦枠材に渡って侵入防止用の網を張設した柵構造であって、
格子体は鉄線を侵入防止可能な範囲の間隔で縦横に組んで平面状に一体化してあり、垂直面部と水平面部を有し、
回転体は間隔を置いて配置したボス部材を有する筒形であり、パネル体の上部枠材に間隔を取って固定したステー間に横架した軸によって回転自由に取り付けられ、
パネル体の農作地外側面に格子体を、垂直面部をパネル体の網面に沿わせ、水平面部を農作地外側に向け、かつ、地中となる位置に配置してある、
ことを特徴とした害獣侵入防止柵。
【考案の詳細な説明】
【技術分野】
【０００１】
特に猿やイノシシ、鹿など農作地に侵入して食害を引き起こす害獣の侵入防止柵に関する。
【背景技術】
【０００２】
特開２０１４−２２３０３０「動物侵入防護柵」が提案されている。
この防護柵は、間隔を取って複数立設した支柱間にネットを張設し、支柱の上部間に回転体３を備えている。侵入しようとする動物が柵（フェンス）を乗り越えようと跳びついたり、前足をかけたりしても、ネット上部の回転体３が回転して、足掛かり、手掛かりを与えない構造となっている。
【先行技術文献】
【特許文献】
【０００３】
【特許文献１】特開２０１４−２２３０３０号公報
【考案の概要】
【考案が解決しようとする課題】
【０００４】
前記先行技術の回転体３は軸に取り付けられた翼板のような形で、翼の一端（農作地側）をバネ４で柵本体２側に引寄せておき、回転体３に動物が外側（農作地の外側）から跳びつくと重量で回転体３が外側へ急傾斜に下がり、跳びついた動物が足掛りを失った転落するというものであるが、この構造は外側からの侵入に効果的であっても、内側（農作地側）からの脱出の時はバネによって回転体３の一端が低くなっているのと軸を越えた位置に足が届いてしまうと回転体３は動物を外側へ誘導するように外側へ傾いて、内側からの脱出を許してしまうことが考えられる。
【０００５】
また、バネが必要なのと、バネの存在で回転体３の端部が上部フレーム２Ｄに打ち当たる時の音がそれほど大きくなるとは考えにくい。
回転体３の長さについて、前記上部フレーム２Ｄに衝突することなく回転できる構造とすることも記載されているが、この場合、回転体３は板なので、外側から跳びつく害獣に上部フレームが足がかりとなってしまう恐れがある。
この考案は、害獣侵入防止柵の改良であって、人間に安全で、農作地を食害する害獣、特に猿、イノシシ、鹿に対して侵入防止の効果が大きい柵の提供を課題とする。
【課題を解決するための手段】
【０００６】
パネル体と格子体と回転体を備えた単位柵をつくり、害獣侵入防止用の単位柵を前記パネル体の面方向へ複数列設して害獣侵入防止柵を構築する。
前記パネル体は上部枠材と左右の枠材からなる門形枠の内側に侵入防止用の網を張設する。
格子体は鉄線を侵入阻止可能な範囲の間隔で縦横に組んで平面状に一体化したもので、垂直面部と水平面部を有する。
【０００７】
回転体は間隔を置いて配置したボス部材を端部に有する筒形であり、パネル体の上枠に間隔を取って固定したステー間に横架した軸に回転自在に取り付けられる。
農作地を内側としてパネル体の外面側に格子体を、垂直面部をパネル体の網面に沿わせ、水平面部を農作地の外側に向け、かつ、地中となる位置に配置する。
回転体のボス部材間に有棘鉄線が張設されていること、回転体は前記軸に対して偏心した位置に戻し錘を有することは好ましい。
パネル体の上部枠材から農作地側へ水平に張り出す返し棚を有すること、回転体をボス部材又は軸に設けたベアリングを介してパネル体に対して回転自在とされていることは好ましい。
【考案の効果】
【０００８】
パネル体の外面側に格子体を、垂直面部を網面に沿わせ、水平面部を外側に向け、かつ、地中となる位置に配置してあるので、害獣侵入防止柵として構築された場合、イノシシがパネル体の侵入防止網に向けて突進しても網よりも頑丈な格子体の垂直面部により阻止され、侵入防止網に孔を作られることがない。また、地面を掘って侵入しようとしても地中に格子体の水平面部があって、掘り進むことができない。
【０００９】
パネル体の上部に回転体が取付けられているので、猿などが侵入のためによじ登っても、手を掛けたところが回転してしまい。よじ上ることができない。有棘鉄線が張設されていると回転によって棘が猿の体に当たり、強い衝撃を与え、乗り越える意欲を喪失させる。
回転体はベアリングを介して回転するので、回転が軽く、体を持ち上げる反力を与えない。
【００１０】
さらに、回転体は軸から偏心した位置に戻し錘を有するので、猿が手や足を離してもしばらく揺れており、近づいたままでいると再び有棘鉄線にふれることになるので、その場から離れてしまうことが多い。
また、パネル体上部の返し棚は、跳びこえるにはパネル体の高さ以上のジャンプ力を要し、鹿などが跳び越えることを困難にする。このため、仮に農作地への侵入に成功しても内側から外に出ることができない。
パネル体の上部や返し棚にも有棘鉄線を張設しておくとこれらに接触する時の刺激によって侵入の意欲を喪失させることができる。
【図面の簡単な説明】
【００１１】
【図１】単位柵の斜視図。
【図２】害獣侵入防止柵の概略斜視図。
【図３】単位柵を外方から見た正面図。
【図４】単位柵の左側面図。
【図５】単位柵の平面図。
【図６】〔イ〕−〔ハ〕は回転体の他の例を概略で示す斜視図。
【図７】回転体の一部を示した斜視図。
【考案を実施するための形態】
【００１２】
図１は、害獣侵入防止用の単位柵１を示しており、基本的にパネル体２と格子体３と回転体４を備えている。単位柵１は図２のように、網面の方向に列設して害獣侵入防止柵５を構築する。
単位柵１におけるパネル体２は上部枠材６と左右の縦枠材７，８からなる門形枠の内側に侵入防止の網９を張設したものであり、この実施例において、枠材はφ４８．６，厚さ１．８ｍｍの単管（金属パイプ）であり、上部枠材６（長さ１８００ｍｍ）と左右の縦枠材７，８（長さ２０００ｍｍ）をパイプジョイント１０，１０で接続してある。
侵入防止の網９は、この実施例では線径１．１ｍｍ、網目２０ｍｍの亀甲金網を利用している。同程度の平織り金網、ひし形金網であってもよい。
【００１３】
格子体３は鉄線を縦横に組んで平面状に一体化したワイヤーメッシュであり、垂直面部３ａと水平面部３ｂを有する。この実施例において垂直面部３ａの高さは６００ｍｍ、水平面部３ｂの張り出し寸法は４００ｍｍである。鉄線はφ５ｍｍ、格子間隔２００ｍｍである。縦線間、横線間の間隔（格子間隔）は、猿、イノシシなどの侵入を阻止できる程度であればよい。
格子体３はパネル体２の下部で外側（害獣の侵入側）に垂直面部３ａを当接させ、水平面部３ｂを地面に埋めて配置する。
【００１４】
回転体４（図３）は、この実施例において、ボス部材１１、軸１２、ベアリング１３、複数本の連結バー１４、有棘鉄線１５及び戻し錘１６で構成されている。すなわち、ボス部材１１を軸１２の両側に配置し、両ボス部材１１，１１の四隅間を前記の連結バー１４で結合し、さらに、両ボス部材１１間に有棘鉄線１５を張設して、全体として筒状に構成してある。
そして、回転体４は、これの軸１２をパネル体２の上部枠材６に間隔を取って固定したステー１７間にベアリング１３を介在させて横架することにより、回転体４をパネル体２へ回転自在に取り付ける。
【００１５】
回転体４の平面視による幅は、ボス部材１１の直径によりパネル体２の幅よりも大きいので（図４，５）、回転体４の内外両側（農作地の内外方向）は、パネル体２の上部において外側あるいは内側へ張り出している。
戻し錘１６は回転自在な回転体４を元の位置に戻すためのものであり、前記連結バーの一つに取り付けてある。これは、前記複数本の連結バー１４の１本を他よりも太くして重量を増すことでも達成できる。
なお、ベアリング１３は、前記のように軸１２とステー１７間に介在させてもよく、あるいは軸１２とボス部材１１との間に介在させてもよい。いずれにしても回転体４が軽く回転するよう支持している。
【００１６】
害獣侵入防止用の単位柵１は、パネル体２の左右縦枠材７，８を地中に埋めて地面に立設し、パネル体２の外面側に格子体３を、その垂直面部３ａを侵入防止用の網９の面に沿わせ、水平面部３ｂを外側に向けて地中に埋める。
パネル体２に格子体３をあらかじめ固定（縛りつけ、溶接、ねじ止め等）してから立設することもできる。
立設は、左右の縦枠材７，８を単に地中へ打ち込むだけでもよいが、図４のように打設した基礎コンクリートに固定して埋め込むと頑丈な柵を構築できる。
【００１７】
以上が基本的な構造であるが、この実施例では、パネル体２の上部枠材６から内側へ水平に張り出す返し棚１８を有している（図１，図５）。張り出し幅は４００ｍｍであり、左右の張り出し枠材１９、２０間に有棘鉄線１５を張設してある。
【００１８】
単位柵１は害獣が侵入しそうな箇所に複数を列設して害獣侵入防止柵５を構築する。列設はなるべく隙間を開けないようにし、相互にワイヤや金具によって結合することが好ましい。上部で隣接した回転体４のボス部材１１間は少し隙間が開くので、この部分には有棘鉄線などの詰め物をしておく。特に害獣侵入防止柵５のコーナー部では出隅箇所で前記隣接するボス部材１１間に比較大きな隙間ができてしまうのでこの部分に詰め物をすることが好ましい。
害獣の種類に応じてパネル体２の高さを変えたり、回転体４や格子体３を省略したりすることもできる。
【００１９】
単位柵１を列設するとパネル体２の左右の縦枠材７，８が重なり、頑丈であるが、左右の縦枠材７、８が重なる箇所を１本の単管で構成し、その上端をＴ形パイプジョイントで左右の上部枠材６と連結し、上部枠材６が連続し、途中の縦枠材が単管１本ずつという柵構造に害獣侵入防止用の網９を張設して構成にすることもできる。途中の縦枠材には支柱を設けることが好ましい。
この構成は現地で害獣侵入防止柵５を組み立てる場合に適している。
【００２０】
侵入しようとする害獣は単位柵１に阻まれると押してみたり、体当たりしたのち、跳び越えを試みたり、地面を掘って侵入しようとする。
しかし、単位柵１は押されたくらいでは倒れない程度に頑丈に作ることができ、さらに体当たりなどがあっても侵入防止網の外側には侵入防止用の網９よりも丈夫な格子体３があるので、比較的大きな衝撃に耐えることができる。
【００２１】
イノシシは、地面を掘って単位柵１の下側を潜り抜けることがあるが、格子体３の水平面部３ｂはこれを阻止する。水平面部３ｂは、地中に埋まって境界が見えず、また、外側へ張り出しているので、垂直面部３ａの直下を狙って掘り進んでも必ず水平面部３ｂに行き当たり、あきらめさせることができる。
また、猿がよじ登って単位柵１を越えようとしても回転体４に手や足を掛けると回転体４が簡単に回転してしまうので、手掛り、足掛りとならず乗り越えることができない。そして、回転体４が勢いよく回転し、有棘鉄線１５が猿に接触し、驚いた猿は退散することになる。
【００２２】
なお、猿対策としては単位柵１の単管部分（上部枠材６、左右の枠材７，８の部分に有棘鉄線を巻きつけるなどして、よじ登ったり、手掛けに利用したりできないようにすることが好ましい。特に上部枠材６には有棘鉄線を巻きつけて、猿が手をかけないようにしておくことが好ましい。
さらに、猿の場合、高い柵はベリーロール式に腹を下に丸くなりながら跳ぶことがあるので、回転体４のボス部材１１間に有棘鉄線を棘が回転軌跡の外側へ突出するようにして多数本張設しておくと効果的である。
【００２３】
鹿やイノシシが回転体４の上方を跳び越えようとすることも考えられるが、前足を掛けた場合は足掛りを失って落下し、跳び越えてしまう場合でも回転体４の有棘鉄線で傷付くこととなる。何とか跳び越えた鹿であっても、農作地側から跳び越えようとすると、同じような危険があり、また、この実施例の場合、内側に返し棚１８が張り出しているのでより高く跳躍する必要があって、農作地から外に出ることができない。
【００２４】
図６〔イ〕−〔ハ〕は，回転体４の構造に関して他の例を示したものである。
〔イ〕は、ボス部材１１を六角形の平板とし、両側のボス部材１１を比較的太い筒体２１で結合したものである。回転のための軸１２は筒体２１を貫通して両側のボス部材１１を支持する。有棘鉄線１５を２枚の六角形平板の対応した各頂点間に張設している。有棘鉄線１５を均等に、かつ、棘を回転体４の外周から突出させて配置し易い。
【００２５】
〔ロ〕は、軸方向に分割した小型の回転体２２（回転体４）を軸１２の方向に複数連ねた構造としたものである。回転体２２はそれぞれが軸１２にベアリング１３を介して支持されており、個別に回転自在とされている。また、回転体２２のそれぞれの周面に有棘鉄線１５などによって棘が配置されている。
この構造では、回転体２２が個別に回転するので、手掛り、足掛りがさらに困難になる。回転体２２間に相互に擦れあうことで音を発する音響発生手段を設けてもよい。この場合、接する回転体２２が異なることで異なる音響が発生するようにしてもよい。
【００２６】
〔ハ〕は、合成樹脂性の円筒２３の周面に比較的大きなスリット２４を軸方向に複数条設け、その周面に有棘鉄線１５をらせん状に巻きつけて固定したものである。円筒２３の両端面をボス部材１１で塞ぎ、ボス部材１１に軸１２を貫通させてある。スリット２４が手掛け、足掛けになる可能性があるが、円筒２３は簡単に回転するので、これらの役には立たない。構造が簡単で、安価に作れる。
また、内部に接近する害獣が嫌がる音響や光あるいは匂いを発する部材を格納し、回転体４が回転されるとこれらがスリット２４を通して外に拡散されるようにすることもできる。
【００２７】
図７は回転体４が回転されると回転体４から音響を発する具体的例の一つである。
回転体４は合成樹脂性の円筒２３を有し、周面に比較的大きなスリット２４を軸方向に複数条有している。そして、一方のボス部材１１にバネ鋼製の舌片２５が固定されている。一方、ステー１７側には周面に凹凸を有するギア板２６が固定されており、その周面に前記舌片２５の先端が接触するようになっている。
このため、回転体４が回転すると、舌片２５が凹凸で弾発しながら移動するので、音が発生し、その音が円筒２３内部で共鳴して大きくなりスリット２４から外部に漏れる。侵入しようとする動物に音による恐怖感を刷り込み、農作地へ近づけさせない効果がある。
【００２８】
以上、実施例を示した。
パネル体２の枠構造は単管をパイプジョイントで結合する構造を示したが、頑丈な枠構造を作れるものであれば、これに限らない。
戻し錘１６に変えて、軸１２をボス部材１１の偏心位置に配置しても同様の効果を得られる。
両側のボス部材１１は、実施例のように四角形のこともあれば円形、六角形あるいは十字に組んだ桟や多数の突出部を備えた星形のこともある。
【符号の説明】
【００２９】
１  害獣侵入防止用の単位柵
２  パネル体
３  格子体
３ａ  垂直面部
３ｂ  水平面部
４  回転体
５  害獣侵入防止柵
６  上部枠材
７  左枠材
８  右枠材
９  侵入防止用の網
１０  パイプジョイント
【００３０】
１１  ボス部材
１２  軸
１３  ベアリング
１４  連結バー
１５  有棘鉄線
１６  戻し錘
１７  ステー
１８  返し棚
１９  左張り出し枠材
２０  右張り出し枠材
【００３１】
２１  筒体
２２  分割回転体
２３  円筒
２４  スリット
２５  舌片
２６  ギア板
【図１】
0003214255.tif 000003
【図２】
0003214255.tif 000004
【図３】
0003214255.tif 000005
【図４】
0003214255.tif 000006
【図５】
0003214255.tif 000007
【図６】
0003214255.tif 000008
【図７】
0003214255.tif 000009